(57)【特許請求の範囲】
【請求項１】
釣り竿に装着され前記釣り竿に沿った軸回りに釣り糸を巻き付けるスピニングリールであって、
前記釣り竿に装着され、前記釣り竿に装着するための略Ｔ字状の竿装着部と、前記竿装着部の下部に一体で形成されかつ後部から下部にかけて角部が形成されたリールボディとを有するリール本体と、
一端が前記リールボディの前記角部を生成する一側面のみに固定され、他端が前記角部を生成する他側面に接触するように装着され、前記リールボディの前記角部を保護する線材製のリール保護部材と、
前記リール本体に回転自在に装着されたロータと、
前記ロータの前方で前記リール本体に前後移動可能に装着され外周に釣り糸が巻き付けられるスプールと、
を備えたスピニングリール。
【請求項２】
釣り竿に装着され前記釣り竿に沿った軸回りに釣り糸を巻き付けるスピニングリールであって、
前記釣り竿に装着されるリール本体と、
前記リール本体に回転自在に装着された円筒部と、前記円筒部の後部から径方向両外方に延びたのち屈曲して前方に延び前記円筒部と一体で形成された１対のアーム部と、前記アーム部の先端に揺動自在に装着された釣り糸案内部とを有するロータと、
一端が前記アーム部の屈曲部を生成する一側面のみに固定され、他端が前記屈曲部を生成する他側面に接触するように装着され、前記アーム部の屈曲部を保護する線材製のリール保護部材と、
前記ロータの前方で前記リール本体に前後移動可能に装着され外周に釣り糸が巻き付けられるスプールと、
を備えたスピニングリール。
【請求項３】
前記リール保護部材は、金属製の線材を折り曲げて形成されている、請求項１又は２に記載のスピニングリール。
【発明の詳細な説明】
【０００１】
【発明の属する技術分野】
本発明は、釣り用リール、特に、釣り竿に装着され釣り竿に沿った軸回りに釣り糸を巻き付けるスピニングリールに関する。
【０００２】
【従来の技術】
スピニングリールは、釣り竿に装着され釣り竿に沿った軸回りに釣り糸を巻き付ける釣り用リールであり、釣り竿に装着されるリール本体と、リール本体に回転自在に装着されたロータと、ロータの前方でリール本体に前後移動可能に装着され外周に釣り糸が巻き付けられるスプールとを備えている。
【０００３】
リール本体は、一般に射出成形された樹脂やアルミニウムダイキャストにより一体で形成されたリールボディ及びＴ字状の竿装着部と、リールボディの開口を塞ぐためのカバー部とを有している。リールボディにはロータを回転させたりスプールを前後移動させる機構が内部に配置されている。このリールボディの後部は、竿装着部を前方に配置するとともにスプールの前後移動用のオシレーティング機構を収納するため等の理由により後方に凸に突出しているものが多い。
【０００４】
ロータは、リール本体のリールボディに回転自在に支持された円筒部と、円筒部の後部外周に対向して配置された１対のアーム部と、両アーム部に揺動自在に装着されたベールアームとを有している。両アーム部は円筒部と一体で形成され、径方向外方に延びた後に屈曲して前方に折れ曲がって延びている。このアーム部の屈曲部分は、通常、リール本体のリールボディより外方に突出している。
【０００５】
【発明が解決しようとする課題】
前記従来のリール本体を有するスピニングリールでは、突出したリール本体の後部やアーム部の屈曲部分がものに接触しやすい。たとえば、スピニングリールを堤防や岩場に放置しておくと、リール本体の後部やアーム部の屈曲部分が硬い堤防や岩場等の釣り場の表面に接触しやすく、接触部分が破損したり傷ついたりする。
【０００６】
本発明の課題は、スピニングリールの突出部分を損傷しにくくすることにある。
【０００７】
【課題を解決するための手段】
発明１に係るスピニングリールは、釣り竿に装着され釣り竿に沿った軸回りに釣り糸を巻き付けるリールであって、リール本体と、リール保護部材と、ロータと、スプールとを備えている。リール本体は、釣り竿に装着され、釣り竿に装着するための略Ｔ字状の竿装着部と、竿装着部の下部に一体で形成されかつ後部から下部にかけて角部が形成されたリールボディとを有する。リール保護部材は、一端がリールボディの角部を生成する一側面のみに固定され、他端が角部を生成する他側面に接触するように装着され、リールボディの角部を保護する線材製の部材である。ロータは、リール本体に回転自在に装着されている。スプールは、ロータの前方でリール本体に前後移動可能に装着され外周に釣り糸が巻き付けられている。
【０００８】
このスピニングリールでは、突出するリール本体の角部が線材製のリール保護部材により保護されている。このため、リールを釣り場等に放置しても突出したリール本体の角部が損傷しにくくなる。しかも、線材製のリール保護部材により重量増を招来することなく新しい意匠のリールが得られる。さらに、この場合には、接触する頻度が高い角部を保護することで、リールの損傷をより抑えることができる。
【０００９】
発明２に係るスピニングリールは、釣り竿に装着され釣り竿に沿った軸回りに釣り糸を巻き付けるリールであって、リール本体と、ロータと、リール保護部材と、スプールとを備えている。リール本体は、釣り竿に装着される。ロータは、リール本体に回転自在に装着された円筒部と、円筒部の後部から径方向両外方に延びたのち屈曲して前方に延び円筒部と一体で形成された１対のアーム部と、アーム部の先端に揺動自在に装着された釣り糸案内部とを有している。リール保護部材は、一端がアーム部の屈曲部を生成する一側面のみに固定され、他端が屈曲部を生成する他側面に接触するように装着され、アーム部の屈曲部を保護する線材製の部材である。スプールは、ロータの前方でリール本体に前後移動可能に装着され外周に釣り糸が巻き付けられるものである。
【００１０】
このスピニングリールでは、突出するロータのアーム部の屈曲部が線材製のリール保護部材により保護されている。このため、リールを放置しても突出したアーム部の屈曲部が損傷しにくくなる。しかも、線材製の保護部材により重量増を招来することなく新しい意匠のリールが得られる。
【００１１】
発明３に係るスピニングリールは、発明１又は２に記載のリールにおいて、リール保護部材は、金属製の線材を折り曲げて形成されている。この場合には、リール保護部材が金属製の線材を折り曲げて形成されているので、どのような形状のリールの突出部分でも保護しやすい。しかもその意匠を簡単に変更することができる。
【００１２】
【発明の実施の形態】
図１及び図２において、本発明の一実施形態によるスピニングリールは、釣り竿に装着され釣り竿に沿った軸回りに釣り糸を巻き付けるリールである。スピニングリールは、回転するハンドル１を有するリール本体２と、リール本体２の前部に回転自在に支持されたロータ３と、ロータ３の前方でリール本体２に前後移動可能に装着され外周に釣り糸が巻き付けられるスプール４とを備えている。
【００１３】
リール本体２は、リールボディ２ａと、リールボディ２ａの上部に前方に傾斜して配置された竿装着部２ｂとを有している。リールボディ２ａの後部から下部にかけて角部２ｃが形成されている。竿装着部２ｂは、釣り竿にリールを装着するための略Ｔ字状形状の部材であり、リールボディ２ａの上部にリールボディ２ａと一体で形成されている。
【００１４】
リールボディ２ａの角部２ｃには、たとえばステンレス製の線材を折り曲げて形成されたリール保護部材５が装着されている。リール保護部材５は、角部２ｃを覆うように折り曲げて形成された矩形リング状の部材であり、２本のビス７により角部２ｃに固定されている。このように角部２ｃにリール保護部材５を装着することでリールの突出部分が傷つきにくく破損しにくくなる。
【００１５】
リールボディ２ａの内部には、ロータ３を回転させるためのロータ駆動機構（図示せず）と、スプール４を回転軸芯に沿って前後方向に移動させてスプール４に釣り糸を均一に巻取るためのレベルワインド機構（図示せず）と、ロータを制動するロータ制動機構６とが設けられている。
【００１６】
ロータ３は、円筒部３ａと、円筒部３ａの側方に互いに対向して設けられた第１ロータアーム３ｂ及び第２ロータアーム３ｃとを有している。円筒部３ａの前壁３ｄの中央部には貫通孔３ｅを有するボス部３ｆが形成されている。この貫通孔３ｅにスプール軸８及びピニオンギヤ１２が貫通している。ピニオンギヤ１２は、ハンドル１の回転軸に取り付けられたマスターギヤ（図示せず）に噛み合っている。
【００１７】
第１ロータアーム３ｂ及び第２ロータアーム３ｃは、それぞれ円筒部３ａと一体で形成されており、円筒部３ａの後部から径方向外方に延びたのち屈曲して前方に延びている。第１ロータアーム３ｂと第２ロータアーム３ｃとの間には、釣り糸をスプール４に案内するためのベールアーム９が揺動自在に装着されている。各ロータアーム３ｂ，３ｃの屈曲部３ｇの外周側にも、たとえば、ステンレス製の線材をＵ字状に折り曲げて形成されたリール保護部材１０ａ，１０ｂがそれぞれ装着されている。リール保護部材１０ａ，１０ｂは、ロータアーム３ｂ，３ｃに折り曲げられた両端をかしめ固定することでロータアーム３ｂ，３ｃに装着されている。このようにリール保護部材１０ａ，１０ｂでロータアーム３ｂ，３ｃの屈曲部３ｇを覆うことで、この屈曲部３ｇが傷つきにくくなり破損しにくくなる。
【００１８】
スプール４は、ロータ３の第１ロータアーム３ｂと第２ロータアーム３ｃとの間に配置されており、スプール軸８の先端に装着されている。スプール４は、外周に釣り糸が巻かれる糸巻き胴部４ａと、糸巻き胴部４ａの後部に一体成形されたスカート部４ｂと、糸巻き胴部４ａの前端に固定されたフランジ部４ｃとを有している。スプール軸８は、レベルワインド機構により前後方向に移動可能である。
【００１９】
ロータ制動機構６は、制動部２０と、制動部２０を制動操作するための制動レバー２１とを有している。
【００２０】
制動部２０は、制動レバー２１により制動される制動部本体３１と、制動部本体３１をロータ３の糸繰り出し方向の回転にのみ連動して回転させるワンウェイクラッチ３２とを有している。
【００２１】
制動レバー２１は、リールボディ２ａと竿装着部２ｂとの境界部分において、リールボディ２ａに支持軸３３により揺動自在に支持されており、かつ図示しない付勢部材により図１の反時計回りに付勢されている。制動レバー２１は、支持軸３３から湾曲して斜め上方に延びる操作レバー部２２を有しており、支持軸３３から湾曲して斜め下方に延びる先端には、制動作用部２３が設けられている。操作レバー部２２の先端は竿装着部２ｂの近傍に配置されている。また操作レバー部２２の途中から、前方に延びる保護レバー部２４が分岐している。この保護レバー部２４の先端は、ベールアーム９とほぼ同じ位置まで延びている。
【００２２】
制動部本体３１は、図２に示すように、ロータ３の内周側にロータ３と同芯に配置された制動円筒４０と、制動円筒４０を揺動自在かつ回動不能に支持する回転円筒４１と、リールボディ２ａに取り付けられた制動シュー４２とを有している。
【００２３】
制動円筒４０は有底円筒形状であり、その外周面の先端が制動シュー４２と制動レバー２１の制動作用部２３との間に配置される。回転円筒４１は、前端がワンウェイクラッチ３２によってロータ３の糸繰り出し方向の回転には一体で回転し、巻取時にはロータ３の回転力が作用しないように支持され、後端が軸受によってリールボディ２ａに回転自在に支持されている。
【００２４】
このように、制動円筒４０が回転不能かつ揺動自在に回転円筒４１に支持されているので、制動レバー２１により制動をかけたときには制動円筒４０が傾く。しかし、制動円筒４０が回転円筒４１に揺動自在に支持されているので制動時に回転円筒４１やピニオンギヤ１２に曲げモーメントが作用せずこれらがコゼにくくなり、ロータ３の回転に影響を及ぼさず回転が重くなりにくい。
【００２５】
ワンウェイクラッチ３２は外輪遊転型のものであり、ロータ３の円筒部に外輪が固定され、回転円筒４１の先端外周に内輪が固定されている。このワンウェイクラッチ３２は、ロータ３が糸繰り出し方向に回転したときのみその回転力を回転円筒４１に伝達する。このため、ロータ３が糸繰り出し方向に回転すると回転円筒４１が回転して制動機構６による制動が可能になる。一方、ロータ３が糸巻取方向に回転すると、回転円筒４１は回転せず、ロータ制動機構６による制動はできない。
【００２６】
次に、リールの動作について説明する。
【００２７】
キャスティング時には、ベールアーム９を糸開放姿勢側に倒し、釣り竿をリールの竿装着部２ｂ上部で握るとともに、釣り竿を握った手で制動レバー２１の操作レバー部２２を握って振り出すことにより、スプール４の外周に巻かれた釣り糸が繰り出される。このとき、ロータ３はほとんど回転しない。
【００２８】
釣り糸巻き上げ時には、ベールアーム９を糸巻取姿勢に戻す。この状態でハンドル１を回転させると、この回転力はハンドルの回転軸、マスターギヤを介してピニオンギヤ１２に伝達される。このピニオンギヤ１２に伝達された回転力は、ピニオンギヤ前部を介してロータ３に伝達される。このとき、ロータ３は、糸巻取方向に回転するので、この回転力は、前述したようにワンウェイクラッチ３２により回転円筒４１には伝達されない。また、ピニオンギヤ１２が回転すると図示しない中間ギヤによりその回転がレベルワインド機構に伝達され、スプール軸８が前後方向に往復移動して釣り糸がスプール４に均一に巻き取られる。このとき、ロータ３が回転するが、保護レバー部２４が制動レバー２１とロータ３との間に配置されているので、釣り竿を握ってリールを操作しても釣り竿を握った手指がロータ３に接触しにくい。
【００２９】
魚がかかったときにロータ３を逆転（糸繰り出し方向の回転）させて魚とやりとりするときには、制動レバー２１を操作し魚とのやりとりを行う。釣り糸が魚により引かれてロータ３が逆転すると、前述したように、その回転力がワンウェイクラッチ３２を介して回転円筒４１に伝達され、さらに制動円筒４０に伝達され、制動円筒４０がロータ３と一体で回転する。そして、制動レバー２１の操作レバー部２２を釣り竿とともに握って釣り竿に近づけると、制動作用部２３が制動円筒４０の外周面の先端内周を押圧し、制動円筒４０を傾けて制動シュー４２に圧接する。この結果、逆転するロータ３に制動力が作用する。
【００３０】
この制動レバー２１に加える力を加減することで制動力を調整してロータ３の逆転量を任意に調整できる。また、この逆転制動ときにはロータ３が魚に引かれて逆転しているので、ロータ３の回転を釣り人が意識しづらいため注意が散漫になる。また、逆転時に制動を緩めると制動レバー２１がロータ３側に近づく。このような場合でも、保護アーム２４が設けられているので、制動レバー２１を釣り竿とともに握っても、握った手指がロータ３に接触することはない。
【００３１】
また、釣りを行わないときなどに、リールを装着した釣り竿を釣り場に置いたりリールを釣り竿からはずして置いたりしても、リールの突出部分がリール保護部材５やリール保護部材１０ａ，１０ｂで保護されているので、リールが傷ついたり損傷したりしにくくなる。しかも、このような線材製の保護部材５，１０ａ，１０ｂは、板材製のものに比べて軽量化を図れかつ形状の自由度が高く種々の形状の突出部をカバーして保護できる。また、その意匠が新しく好ましいものになる。
【００３２】
〔他の実施形態〕
（ａ）  各保護部材の材質はステンレスに限定されるものではなく、線材であればどのような材質でもよい。
【００３３】
（ｂ）  スピニングリールはレバーブレーキ型に限定されるものではなく、通常のスピニングリールやクローズドフェイスのスピニングリール等種々のスピニングリールに本発明を適用できる。
【００３４】
【発明の効果】
本発明によれば、突出するリール本体の後部が線材製のリール保護部材により保護されているので、リールを釣り場等に放置しても突出したリール本体の後部が損傷しにくくなる。しかも、線材製の保護部材により重量増を招来することなく新しい意匠のリールが得られる。
【図面の簡単な説明】
【図１】  本発明の一実施例によるスピニングリールの側面一部断面図。
【図２】  その背面図。
【符号の説明】
２  リール本体
２ａ  リールボディ
２ｂ  竿装着部
２ｃ  角部
３  ロータ
３ｇ  屈曲部
４  スプール
５，１０ａ，１０ｂ  リール保護部材
【図１】
0003759555.tif 000002
【図２】
0003759555.tif 000003